(57)【要約】描画装置（１）は、所望のパターンを構成する複数トラック（１４１）の描画データに従って、記録媒体（１００）が備えるレーベル面（１２２）にレーザ光を照射することで、所望のパターンをレーベル面に描画する描画手段（１３）と、記録媒体を所定の回転速度で回転させる回転手段（１１、１８）と、描画手段をレーベル面と交わるフォーカス方向及びレーベル面に沿ったトラッキング方向に移動させる移動手段（１３１）と、描画手段を移動手段によって移動させるべき移動量を記録媒体の挙動に基づいて特定する特定手段（３１）と、特定される移動量に基づいて、回転速度を基準となる回転速度から所定割合上昇させた状態でレーベル面に所望のパターンを描画するように回転手段及び描画手段を制御する制御手段（３１）とを備える。
2008096435.tif 000002
【特許請求の範囲】
【請求項１】
所望のパターンを構成する複数トラックの描画データに従って、記録媒体が備えるレーベル面にレーザ光を照射することで、前記所望のパターンを前記レーベル面に描画する描画手段と、
前記記録媒体を所定の回転速度で回転させる回転手段と、
前記描画手段を前記レーベル面と交わるフォーカス方向及び前記レーベル面に沿ったトラッキング方向に移動させる移動手段と、
前記描画手段を前記移動手段によって移動させるべき移動量を前記記録媒体の挙動に基づいて特定する特定手段と、
前記特定される移動量に基づいて、前記回転速度を基準となる回転速度から所定割合上昇させた状態で前記レーベル面に前記所望のパターンを描画するように前記回転手段及び前記描画手段を制御する制御手段と
を備えることを特徴とする描画装置。
【請求項２】
前記特定手段は、前記記録媒体の挙動として、前記記録媒体の面振れ量及び反り量の少なくとも一方に基づいて、前記移動量を特定する
ことを特徴とする請求の範囲第１項に記載の描画装置。
【請求項３】
前記制御手段は、前記特定される面振れ量が所定第１閾値を上回る場合、又は前記特定される反り量が所定第２閾値を上回る場合、前記回転速度を所定割合上昇させた状態で前記レーベル面に前記所望のパターンを描画するように前記回転手段及び前記描画手段を制御する
ことを特徴とする請求の範囲第２項に記載の描画装置。
【請求項４】
前記制御手段は、前記回転速度が所定割合上昇させられる分、前記レーベル面において前記レーザ光を重ねて照射する回数を増加させるように、前記回転手段及び前記描画手段を制御する
ことを特徴とする請求の範囲第１項に記載の描画装置。
【請求項５】
前記制御手段は、前記回転速度が所定割合上昇させられる分、前記照射されるレーザ光が前記レーベル面で形成するスポットの径を小さくするように、前記回転手段及び前記描画手段に加えて前記移動手段を制御する
ことを特徴とする請求の範囲第１項に記載の描画装置。
【請求項６】
前記制御手段は、前記所望のパターンを構成する前記複数トラックのトラックピッチを、前記回転速度が所定割合上昇させられる分狭めるように、前記回転手段及び前記描画手段に加えて前記移動手段を制御する
ことを特徴とする請求の範囲第１項に記載の描画装置。
【請求項７】
前記制御手段は、前記回転速度が所定割合上昇させられる分前記照射されるレーザ光の照射パワーを上げるように、前記描画手段を制御する
ことを特徴とする請求の範囲第１項に記載の描画装置。
【請求項８】
前記記録媒体の識別情報を光学的に読み取り、該読み取られる識別情報に対応する所定の描画特性を検出する検出手段を更に備え、
前記検出される所定の描画特性に基づいて前記回転速度を所定割合上昇させる
ことを特徴とする請求の範囲第１項に記載の描画装置。
【請求項９】
前記回転速度を所定割合上昇させるか否かについてのユーザの決定を入力として受け付ける入力手段を更に備え、
前記制御手段は、前記受け付けられる決定に従って、前記回転速度を所定割合上昇させた状態で又は上昇させない状態で、前記レーベル面に前記所望のパターンを描画するように前記回転手段及び前記描画手段を制御する
ことを特徴とする請求の範囲第１項に記載の描画装置。
【請求項１０】
所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記記録媒体の挙動に基づいて特定する特定手段とを備える描画装置における描画方法であって、
前記特定される移動量に基づいて、前記回転速度を基準となる回転速度から所定割合上昇させた状態で前記レーベル面に前記所望のパターンを描画するように前記回転手段及び前記描画手段を制御する制御工程と
を備えることを特徴とする描画方法。
【請求項１１】
所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記記録媒体の挙動に基づいて特定する特定手段と、前記特定される移動量に基づいて、前記回転速度を基準となる回転速度から所定割合上昇させた状態で前記レーベル面に前記所望のパターンを描画するように前記回転手段及び前記描画手段を制御する制御手段とを備える描画装置に備えられたコンピュータを制御するコンピュータプログラムであって、
前記コンピュータプログラムは、前記コンピュータを、少なくとも前記制御手段として機能させることを特徴とするコンピュータプログラム。
【発明の詳細な説明】
【技術分野】
【０００１】
本発明は、例えば記録媒体のレーベル面に対して文字や図形や画像等のパターンを描画する描画装置及び方法、並びにコンピュータプログラムの技術分野に関する。
【背景技術】
【０００２】
ＣＤやＤＶＤ等の光ディスクは、大容量のデータを容易に記録することができる。このような光ディスクに記録されるデータとしては、例えば、ソフトウェア、コンピュータアプリケーション、コンピュータファイル、映像データ、音楽データ等が一具体例として挙げられる。このような光ディスクでは、データをデジタルで記憶する。より具体的には、高強度のレーザ光を用いて光ディスクの微小領域を焼く（即ち、微小領域の光学特性を変化させる）ことで、そのような各微小領域が、記録するデータに応じたピットパターンで反射性又は非反射性になるようにする。これにより、光ディスクにデータを記録することができる。【０００３】
近年、このような光ディスクにおいて、データが記録される記録面とは逆側の面であるレーベル面にユーザの所望のパターン（例えば、所望の画像や文字や図形等）を描画する行為が頻繁に行われている。典型的には、ペン等を用いて所望のパターンを描画するシンプルな行為から、インクジェットプリンタを用いて所望のパターンを描画する行為が一具体例として挙げられる。【０００４】
他方で、所望の文字や図形や画像を描画する技術として、レーベル面に色素膜等を積層し、該レーベル面（つまり、色素膜）にレーザ光を照射することで、所望のパターンをレーベル面に描画する技術が開発されている（特許文献１及び２参照）。この技術によれば、データを記録するためのハードウェア構成（具体的には、光ピックアップ等）を用いて所望のパターンをレーベル面に描画することができるため、比較的簡易に、きれいな画像や文字や図形等をレーベル面に描画することができる。【０００５】
【特許文献１】米国特許明細書第６７７１２９７号公報
【特許文献２】特開２００６−５１１０３４号公報
【発明の開示】
【発明が解決しようとする課題】
【０００６】
ところで、上述のようにレーベル面に所望のパターンを描画する技術では、スレッドおよびアクチュエータを用いて光ピックアップおよびレーザ光の照射位置を半径方向に移動させることにより、擬似的にトラックがあるように描画を行う。このため、半径位置の精度はスレッド及びアクチュエータの送り精度及び印加電流量に対する駆動量の感度によって決定される。ここで一般に、アクチュエータの温度変化により感度変化が生じるので、結果的に想定される駆動量も大きく変化する。それにも関わらず、上述の特許文献１或いは特許文献２では、温度変化によるアクチュエータの感度変化に対して特に対策は開示されていないので、温度変化の著しい状況によっては目に見えて描画品質が低下するおそれがある。【０００７】
本発明は、例えば上述した従来の問題点に鑑みなされたものであり、レーベル面に所望のパターンを描画するにあたり、描画品質を向上可能な描画装置及び方法、並びにコンピュータをこのような描画装置として動作させるためのコンピュータプログラムを提供することを課題とする。
【課題を解決するための手段】
【０００８】
上記課題を解決するために、本発明の描画装置は、所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記記録媒体の挙動に基づいて特定する特定手段と、前記特定される移動量に基づいて、前記回転速度を基準となる回転速度から所定割合上昇させた状態で前記レーベル面に前記所望のパターンを描画するように前記回転手段及び前記描画手段を制御する制御手段とを備える。【０００９】
上記課題を解決するために、本発明の描画方法は、所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記記録媒体の挙動に基づいて特定する特定手段とを備える描画装置における描画方法であって、前記特定される移動量に基づいて、前記回転速度を基準となる回転速度から所定割合上昇させた状態で前記レーベル面に前記所望のパターンを描画するように前記回転手段及び前記描画手段を制御する制御工程とを備える。【００１０】
上記課題を解決するために、本発明のコンピュータプログラムは、所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記記録媒体の挙動に基づいて特定する特定手段と、前記特定される移動量に基づいて、前記回転速度を基準となる回転速度から所定割合上昇させた状態で前記レーベル面に前記所望のパターンを描画するように前記回転手段及び前記描画手段を制御する制御手段とを備える描画装置に備えられたコンピュータを制御するコンピュータプログラムであって、前記コンピュータプログラムは、前記コンピュータを、少なくとも前記制御手段として機能させる。【００１１】
本発明の作用及び他の利得は次に説明する実施の形態から明らかにされよう。
【図面の簡単な説明】
【００１２】
【図１】第1実施例に係る記録再生装置の基本構成を概念的に示すブロック図である。
【図２】第1実施例に係る記録再生装置の動作の対象となる光ディスクの基本構成（特に、特徴データ記録エリア１２１）を示す平面図である。
【図３】光ディスクの面振れ及び反りの様子を示す模式的な断面図である（ａ：面振れ、ｂ：反り）。
【図４】比較例に係る情報記録再生装置によるレーベル描画中のフォーカス駆動量及びアクチュエータ（雰囲気）の温度変化の経時変化を示す特性図である。
【図５】第1実施例に係る情報記録再生装置によるレーベル描画中のフォーカス駆動量及びアクチュエータ（雰囲気）の温度変化の経時変化を示す特性図である。
【図６】第1実施例に係る描画処理の流れを概念的に示すフローチャートである。
【図７】第１実施例に係るトラック描画処理の流れを概念的に示すフローチャートである。
【図８】第２実施例に係るトラック描画処理の流れを概念的に示すフローチャートである。
【図９】第３実施例に係るトラック描画処理の流れを概念的に示すフローチャートである。
【符号の説明】
【００１３】
１  情報記録再生装置
１１  スピンドルモータ
１２  光ピックアップユニット
１３  光ピックアップ
１４  スレッド
１５  ステッピングモータ
５１  エンコーダ
５２  エンコーダコントローラ
１６  ＯＰＵコントローラ
１７  ステッピングコントローラ
１８  スピンドルコントローラ
２１  データバス
３１  システムコントローラ
３２  メモリ
４１  表示部
４２  入力部
１００  光ディスク
１１０  データ記録層
１２０  レーベル層
１２１  特徴データ記録エリア
１２２  レーベルエリア
１２１１、１２１２、１２１３  パターン
１４１、１４２、１４３  トラック
【発明を実施するための最良の形態】
【００１４】
以下、発明を実施するための最良の形態として、本発明の描画装置及び方法、並びにコンピュータプログラムに係る実施形態の説明を進める。【００１５】
（描画装置の実施形態）
本発明の描画装置に係る実施形態は、所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記描画手段の挙動に基づいて特定する特定手段と、前記特定される移動量に基づいて、前記回転速度を基準となる回転速度から所定割合上昇させた状態で前記レーベル面に前記所望のパターンを描画するように前記回転手段及び前記描画手段を制御する制御手段とを備える。【００１６】
本発明の描画装置に係る実施形態によれば、以下に詳述するように、レーベル面に所望のパターンを描画するにあたり、描画品質を向上できる。【００１７】
先ず、所望のパターンをレーベル面に描画するにあたり、描画手段（例えば、半導体レーザ素子、レンズ等を有する光ピックアップ）によって、所望のパターンを構成する複数トラックの描画データ（例えば、ビットマップやベクトルデータ等の画像データ）に従って、記録媒体（典型的には、光ディスク）が備えるレーベル面にレーザ光が照射される。具体的には、描画手段は、レーベル面に沿って、例えば記録媒体の半径方向（言い換えれば、トラッキング方向）に移動可能である。レーベル面には例えば色素膜等が塗布されており、レーザ光が照射された部分における色素膜の反射率と、レーザ光が照射されていない部分における色素膜の反射率とが相違することを利用して、レーベル面に所望のパターンが描画される。【００１８】
このように描画されるとき、回転手段（例えば、記録媒体に記録されたパターンを光学的に読み取るエンコーダと、記録媒体の略中心を軸にして回転させるスピンドルモータ）によって、記録媒体は所定の回転速度で回転させられる。このときの回転速度は、通常、エンコーダによって読み取られるパターンに対応する信号の経時変化に基づいて調整されている。【００１９】
そして、移動手段（例えば、トラッキング用とフォーカス用の２対のコイルに駆動用の電流が流されるアクチュエータ及びスレッド）によって、描画手段（より詳しくは、照射されるレーザ光の焦点位置や照射位置）が、レーベル面と交わるフォーカス方向及びレーベル面の半径方向に沿ったトラッキング方向に移動させられる。【００２０】
このようにして、レーザ光をレーベル面の所望の位置に高精度で照射できる。ここで、レーザ光の照射位置の精度は、移動手段の送り精度と、移動手段を駆動すべく印加される印加電流に対して移動手段が移動する距離（つまり、駆動量）の感度によって決定される。ところで、この移動手段（特にスレッドよりも高い分解能で描画手段を移動させるアクチュエータ）は、その温度変化により、感度（印加される電流量に対する移動量）変化が生じるので、結果的に想定される移動量も大きく変化する。そのため、上述したように、温度変化の著しい状況によっては目に見えて描画品質が低下するおそれがある。【００２１】
然るに、本実施形態によれば、以下のようにして、移動手段の温度変化が生じやすい状況を察知し、その温度変化を抑制するように動作するので、感度変化も抑制され、結果的に描画品質を向上できる。【００２２】
具体的には、前記描画手段を前記移動手段によって移動させるべき移動量が、前記記録媒体の挙動（例えば、記録媒体の面振れ量及び反り量の少なくとも一方）に基づいて特定手段（例えば、受光素子を有する光ピックアップとシステムコントローラ）によって、特定される。ここで、「前記記録媒体の挙動に基づいて」移動量を特定するのは、記録媒体の挙動と、その挙動に合わせて（典型的には、その挙動による影響を相殺するように）移動手段によって移動させられる描画手段の移動量とは所定の相関を有することを利用する趣旨である。【００２３】
そして、特定される移動量に基づいて、回転速度を基準となる回転速度から所定割合上昇させた状態で（言い換えれば、一般的な描画時と比べてコントラストの低下を後述のように別途補償することを前提として、あえて回転速度を上昇させた状態で）レーベル面に所望のパターンを描画するように回転手段及び描画手段が、制御手段（例えば、システムコントローラ）によって制御される。その結果、トラック１周のなかで移動手段に電流を流す必要のある区間が増加していないと仮定すれば、回転速度が所定割合上昇させられる分、大電流を継続して流す時間が短縮される。これにより、移動手段の温度上昇が抑制され、感度変動も抑制されるので、移動手段の移動精度が向上し、結果的に描画品質が向上する。加えて、回転速度が所定割合上昇させられる分、ジャイロ剛性が増して面振れ量が抑制されるので、単位時間当たりに移動手段に印加すべき電流量そのものが低減され、やはり描画品質が向上する。なお、「所定割合」とは、回転速度が上昇しすぎて他の部位の挙動が追いつかず逆に描画品質が低下してしまわないような範囲を予め実験・シミュレーションによって求めておき、その範囲内で定められる値である。この所定割合は固定値であってもよいし、あるいは面振れ量及び反り量との対応関係をマップとして記憶しておき適宜変更されてもよい。加えて、かかるマップは実際の使用中に適用される所定割合とそのときの面振れ量とに基づいて事後的に書き換えられてもよい。【００２４】
以上みてきたように、本発明の描画装置に係る実施形態によれば、レーベル面に所望のパターンを描画するにあたり、描画品質を好適に向上できるので、実践上非常に有効である。【００２５】
本発明の描画装置に係る実施形態の一の態様によると、前記特定手段は、前記記録媒体の挙動として、前記記録媒体の面振れ量及び反り量の少なくとも一方に基づいて、前記移動量を特定する。【００２６】
この態様によれば、記録媒体の挙動として、記録媒体の面振れ量及び反り量の少なくとも一方に基づいて、上述の移動量が特定される。具体的には、レーベル面に照射されるレーザ光の戻り光に基づいて、記録媒体の面振れ量及び反り量の少なくとも一方が特定され、その面振れ量及び反り量の少なくとも一方に基づいて、上述の移動量が直接的に（つまり、移動量やその移動量を与える電流量として）又は間接的に（具体的な移動量を特定せずとも面振れ量や反り量と移動量との対応関係が分かっていれば面振れ量や反り量までが）特定される。ここで「戻り光に基づいて」とは、受光素子によって受光される戻り光に関して得られる情報に基づいて、という趣旨であり、例えば戻り光の光量、照射時から受光時までの時間差、受光素子の受光面上での位置に基づいて、面振れ量等が特定される。記録媒体の「面振れ量」とは、記録媒体の中央部がクランプされることで当該描画装置に保持されるため、回転手段による回転時に、当該記録媒体がクランプ箇所を支点として上下に（言い換えればフォーカス方向に）揺れる際の変位量を示すものである。この面振れ量は、例えば戻り光に関して得られる情報をマイケルソン干渉計による手法、三角測量法など一般的に知られている測量法に適用することで特定される。また、記録媒体の「反り量」とは、記録媒体の反り、歪みなどの機械的変形により、当該記録媒体の中心から半径方向へ沿うにつれて広がる基準面からのズレを、基準面からの変位量或いは基準面に対する角度として示すものである。この反り量は、例えば戻り光の光量と反り量とが負の相関を有することを利用して特定される。或いは、チルトセンサによって特定されてもよい。「面振れ量及び反り量の少なくとも一方に基づいて」とは、面振れ量及び反り量の少なくとも一方と、これらの光学的な影響を相殺するために行われるアクチュエータの駆動（例えば、フォーカスサーボやトラッキングサーボ）により変化する温度との関係（典型的には、正の相関）に基づいて、という意味である。これは、面振れ量や反り量の大きさから描画品質の低下傾向を予測することで、それを回避する趣旨である。以上みてきたように、本発明の描画装置に係る実施形態によれば、レーベル面に所望のパターンを描画するにあたり、描画品質を好適に向上できるので、実践上非常に有効である。【００２７】
本発明の描画装置に係る実施形態の一の態様によると、前記制御手段は、前記特定される面振れ量が所定第１閾値を上回る場合、又は前記特定される反り量が所定第２閾値を上回る場合、前記回転速度を所定割合上昇させた状態で前記レーベル面に前記所望のパターンを描画するように前記回転手段及び前記描画手段を制御する。【００２８】
この態様によれば、面振れ量又は反り量の大きさを判定したうえで、回転速度を選択的に上昇させるので、つまり、度がすぎれば描画品質を低下させ得る回転速度を不用意に上昇させないので、描画品質を一層適格に向上できる。なお、上述の「所定第１閾値」は、面振れ量の光学的な影響を相殺するために行われるアクチュエータの駆動に起因する描画品質の低下が実用上問題ないような面振れ量の上限値として、或いはそのような描画品質の低下と回転数を上昇させることによる描画品質の向上とのトレードオフの関係から実用上問題ないような面振れ量の上限値として、実験・経験・シミュレーションによって記録媒体の種類別に或いは固体別に予め算出しておくとよい。「所定第２閾値」も、所定第１閾値と同様な観点から反り量の上限値として予め算出しておくとよい。【００２９】
本発明の描画装置に係る実施形態の他の態様によると、前記制御手段は、前記回転速度が所定割合上昇させられる分、前記レーベル面において前記レーザ光を重ねて照射する回数（「照射回数」とも言う）を増加させるように、前記回転手段及び前記描画手段を制御する。【００３０】
この態様によれば、例えば回転速度を２倍にして回転回数も２倍にすることで、描画品質を向上しつつ、その背反となり得るコントラスト（つまり、描画された部分の濃淡）の低下も回避できる。なお、照射回数をどの程度増加させるかは、ある回転速度において、どれくらい重ねて照射すれば所望のコントラストが得られるかを、予め実験・経験・シミュレーションによって特定して、この関係を記録媒体の種類別に或いは固体別に記録しておけばよい。【００３１】
本発明の描画装置に係る実施形態の他の態様によると、前記制御手段は、前記回転速度が所定割合上昇させられる分、前記照射されるレーザ光が前記レーベル面で形成するスポットの径を小さくするように、前記回転手段及び前記描画手段に加えて前記移動手段を制御する。【００３２】
この態様によれば、回転速度が所定割合上昇させられると、照射されるレーザ光がレーベル面に単位時間あたり単位面積あたりに与える照射エネルギは低下するが、その分スポットの径を小さくして、照射エネルギが補われる。従って、描画品質を向上しつつも、その背反となり得るコントラストの低下も回避できる。なお、スポットの径をどの程度小さくするかは、ある回転速度において、どれくらいスポットの径を小さくすれば、所望のコントラストが得られるかを、予め実験・経験・シミュレーションによって特定して、この関係を記録媒体の種類別に或いは固体別に記録しておけばよい。【００３３】
本発明の描画装置に係る実施形態の他の態様によると、前記制御手段は、前記所望のパターンを構成する前記複数トラックのトラックピッチを、前記回転速度が所定割合上昇させられる分狭めるように、前記回転手段及び前記描画手段に加えて前記移動手段を制御する。【００３４】
この態様によれば、回転速度が所定割合上昇させられると、照射されるレーザ光がレーベル面に単位時間あたり単位面積あたりに与える照射エネルギは低下するが、その分トラックピッチを狭めて、照射エネルギが補われる。従って、描画品質を向上しつつも、その背反となり得るコントラストの低下も回避できる。特に、スポット径を小さくしてトラックピッチが相対的に広がってしまった場合に有効である。なお、トラックピッチをどの程度狭めるかは、ある回転速度においてどれくらいトラックピッチスポットを狭めれば、所望のコントラストが得られるかを、予め実験・経験・シミュレーションによって特定して、この関係を記録媒体の種類別に或いは固体別に記録しておけばよい。【００３５】
本発明の描画装置に係る実施形態の他の態様によると、前記制御手段は、前記回転速度が所定割合上昇させられる分前記照射されるレーザ光の照射パワーを上げるように、前記描画手段を制御する。【００３６】
この態様によれば、回転速度が所定割合上昇させられると、照射されるレーザ光がレーベル面に単位時間あたり単位面積あたりに与える照射エネルギは低下するが、その分照射されるレーザ光の照射パワーを上げて、照射エネルギが補われる。従って、描画品質を向上しつつも、その背反となり得るコントラストの低下も回避できる。通常の描画時に照射パワーに余裕がある場合に有効な手段である。【００３７】
本発明の描画装置に係る実施形態の他の態様によると、前記記録媒体の識別情報を光学的に読み取り、該読み取られる識別情報に対応する所定の描画特性（例えば、照射回数に対するコントラストのリニアリティ（線形性、言い換えれば予測容易性））を検出する検出手段（例えば、光ピックアップの受光素子、或いはエンコーダとシステムコントローラ）を更に備え、前記検出される所定の描画特性に基づいて（具体的には、高速回転描画に適合するか否か、つまり回転速度を上昇させてもよいような描画特性であるか否かに応じて）前記回転速度を所定割合上昇させる。【００３８】
この態様によれば、読み取られる識別情報に対応する所定の描画特性が、記録媒体に、或いはメモリに記録されており、この描画特性が高速回転描画に適合するのであれば、記録媒体の面振れ量や反り量を特定せずとも、回転速度を上昇できる。なお、識別情報に対応する所定の描画特性は、記録媒体のレーベル面に予め書き込まれていてもよいし、識別情報と対応付けて、当該描画装置のメモリに予め記録されていてもよい。【００３９】
本発明の描画装置に係る実施形態の他の態様によると、前記回転速度を所定割合上昇させるか否かについてのユーザの決定を入力として受け付ける入力手段（例えば、キーボードやマウス）を更に備え、前記制御手段は、前記受け付けられる決定に従って、前記回転速度を所定割合上昇させた状態で又は上昇させない状態で、前記レーベル面に前記所望のパターンを描画するように前記回転手段及び前記描画手段を制御する。【００４０】
この態様によれば、回転速度を上昇させたり、或いはさせなかったりという判断をユーザが自由に下せる。つまり、上述のような各種判断に関わらず、描画品質の向上と描画時間の短縮といった目的のうち、どちらを優先するかをユーザが決定できる。【００４１】
（描画方法の実施形態）
本発明の描画方法に係る実施形態は、所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記記録媒体の挙動に基づいて特定する特定手段とを備える描画装置における描画方法であって、前記特定される移動量に基づいて、前記回転速度を基準となる回転速度から所定割合上昇させた状態で前記レーベル面に前記所望のパターンを描画するように前記回転手段及び前記描画手段を制御する制御工程とを備える。【００４２】
本発明の描画方法に係る実施形態は、上述した本発明の描画装置に係る実施形態が享受することができる各種効果と同様の効果を享受することができる。【００４３】
尚、上述した本発明の描画装置に係る実施形態における各種態様に対応して、本発明の描画方法に係る実施形態も各種態様をとることができる。【００４４】
（コンピュータプログラムの実施形態）
本発明のコンピュータプログラムに係る実施形態は、所望のパターンを構成する複数トラックの描画データに従って、記録媒体が備えるレーベル面にレーザ光を照射することで、前記所望のパターンを前記レーベル面に描画する描画手段と、前記記録媒体を所定の回転速度で回転させる回転手段と、前記描画手段を前記レーベル面と交わるフォーカス方向及び前記レーベル面に沿ったトラッキング方向に移動させる移動手段と、前記描画手段を前記移動手段によって移動させるべき移動量を前記記録媒体の挙動に基づいて特定する特定手段と、前記特定される移動量に基づいて、前記回転速度を基準となる回転速度から所定割合上昇させた状態で前記レーベル面に前記所望のパターンを描画するように前記回転手段及び前記描画手段を制御する制御手段とを備える描画装置に備えられたコンピュータを制御するコンピュータプログラムであって、前記コンピュータプログラムは、前記コンピュータを、少なくとも前記制御手段として機能させる。【００４５】
本発明のコンピュータプログラムに係る実施形態によれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の描画装置に係る実施形態を比較的簡単に実現できる。【００４６】
尚、上述した本発明の描画装置に係る実施形態における各種態様に対応して、本発明のコンピュータプログラムに係る実施形態も各種態様を採ることが可能である。【００４７】
本発明のコンピュータプログラム製品に係る実施形態は、該コンピュータを、少なくとも前記制御手段として機能させる。【００４８】
本発明のコンピュータプログラム製品に係る実施形態によれば、当該コンピュータプログラム製品を格納するＲＯＭ、ＣＤ−ＲＯＭ、ＤＶＤ−ＲＯＭ、ハードディスク等の記録媒体から、当該コンピュータプログラム製品をコンピュータに読み込めば、或いは、例えば伝送波である当該コンピュータプログラム製品を、通信手段を介してコンピュータにダウンロードすれば、上述した本発明の描画装置に係る実施形態を比較的容易に実施可能となる。更に具体的には、当該コンピュータプログラム製品は、上述した本発明の描画装置に係る実施形態として機能させるコンピュータ読取可能なコード（或いはコンピュータ読取可能な命令）から構成されてよい。【００４９】
尚、上述した本発明の描画装置に係る実施形態における各種態様に対応して、本発明のコンピュータプログラム製品に係る実施形態も各種態様を採ることが可能である。【００５０】
本実施形態のこのような作用及び他の利得は次に説明する実施例から更に明らかにされよう。【００５１】
以上説明したように、本発明の描画装置に係る実施形態によれば、描画手段と、回転手段と、移動手段と、特定手段と、制御手段とを備える。本発明の描画方法に係る実施形態によれば、制御工程とを備える。本発明のコンピュータプログラムに係る実施形態によれば、コンピュータを、少なくとも制御手段として機能させる。従って、レーベル面に所望のパターンを描画するにあたり、描画品質を好適に向上できるので、実践上非常に有効である。
【実施例】
【００５２】
以下、本発明の実施例を図面に基づいて説明する。尚、以下の実施例では、本発明の描画装置等を、光ディスクの情報記録再生装置に適用した構成を用いて説明を進める。【００５３】
（１）  第1実施例
（１−１）  基本構成
初めに、図１から図３を参照して、第１本実施例に係る情報記録再生装置及び該情報記録再生装置による動作の対象となる光ディスクの夫々の基本構成について説明を進める。ここに、図１は、第1実施例に係る記録再生装置の基本構成を概念的に示すブロック図であり、図２は、第1実施例に係る記録再生装置の動作の対象となる光ディスクの基本構成（特に、特徴データ記録エリア１２１）を示す平面図であり、図３（ａ）及び図３（ｂ）は夫々、光ディスクの面振れ及び反りの様子を示す模式的な断面図である（ａ：面振れ、ｂ：反り）。【００５４】
図１に示すように、本実施例に係る情報記録再生装置１は、スピンドルモータ１１と、光ピックアップ（ＯＰＵ：Optical Pick Up）ユニット１２と、光ピックアップ１３と、スレッド１４と、ステッピングモータ１５と、エンコーダ５１と、表示部４１と、入力部４２と、ＯＰＵコントローラ１６と、ステッピングコントローラ１７と、スピンドルコントローラ１８と、システムコントローラ３１と、メモリ３２とを備えている。【００５５】
スピンドルモータ１１は光ディスク１００を回転及び停止させるモータである。より詳細には、スピンドルモータ１１は、スピンドルコントローラ１８の制御下で、本発明における「回転手段」の一具体例を構成しており、スピンドルサーボを受けつつ所定速度で光ディスク１００を回転及び停止させるように構成されている。【００５６】
光ピックアップユニット１２は、光ピックアップ１３とスレッド１４とを保持する筐体である。【００５７】
スレッド１４は、ステッピングモータ１５による駆動力を受けて、光ピックアップユニット１２と共に光ディスク１００の半径方向に移動する。【００５８】
光ピックアップ１３は、本発明における「描画手段」及び「検出手段」の一具体例を構成しており、光ディスク１００に対するデータの記録及び再生を行うために、例えば図示しない半導体レーザ素子、コリメータレンズ、受光素子、対物レンズ、及び対物レンズのレンズホルダを複数軸について揺動可能なアクチュエータ１３１等から構成される。アクチュエータ１３１は、本発明における「移動手段」の一具体例を構成している。光ピックアップ１３は、ステッピングモータ１５によるスレッド１４の移動により、光ディスク１００の半径方向における位置が調整され、更に光ピックアップユニット１２内に設けられるアクチュエータ１３１によりその位置が細かく調整される。つまり、ステッピングモータ１５によるスレッド１４の移動により、光ピックアップ１３の位置が決定され、その後、より高い分解能で可動できるアクチュエータ１３１によりレーザ光ＬＢの照射位置が決定される。この際、スレッド１４の移動精度を高める為に、着磁力の高い2相移動位置のみを使用して移動を行うとよい。そして、光ピックアップ１３は、光ディスク１００に対してレーザ光ＬＢを、再生時には読み取り光として第１のパワーで照射し、記録時には書き込み光として第２のパワーで且つ変調させながら照射する。加えて、光ピックアップ１３は、光ディスク１００に対するレーベル描画を行う際に、光ディスク１００に対してレーザ光ＬＢを照射する。【００５９】
ステッピングモータ１５は、ステッピングコントローラ１７により印加される電圧に応じて、スレッド１４を光ディスク１００の半径方向に沿って移動させる。【００６０】
エンコーダ５１は、エンコーダコントローラ５２の制御下で、光ディスク１００の特徴データ記録エリア１２１（図２を参照）に対してレーザ光を照射すると共に、その反射光を受光素子により受光することにより、光ディスク１００の速度情報や角度情報を取得する。エンコーダ５１及びエンコーダコントローラ５２は、本発明における「回転手段」の一具体例を構成している。【００６１】
表示部４１は、例えば液晶ディスプレイ或いはプラズマディスプレイ等を有し、レーベル描画を行う際のユーザインターフェースとして機能する。【００６２】
入力部４２は、本発明における「入力手段」の一具体例を構成しており、例えばキーボード、マウス、或いは表示部４１と一体化したタブレット型ディスプレイであり、ユーザから所望のパターンを形成するための情報（例えば、文字・コマンド・座標情報）等の各種入力を受付る。受け付けられた入力は、データバス２１を介して、システムコントローラ３１に伝達され、その内容に応じて、表示部４１に表示されている所望のパターンが変更され、或いは当該情報記録再生装置１により所定の動作処理が行われる。【００６３】
ＯＰＵコントローラ１６は、例えばレーザダイオードドライバ等を備えており、光ピックアップ１３によるレーザ光ＬＢの照射動作を制御する。具体的には、ＯＰＵコントローラ１６は、システムコントローラ３１による制御の下に、ステッピングコントローラ１７、スピンドルコントローラ１８、エンコーダコントローラ５２と協働しながら、レーザ光ＬＢのパワーや照射タイミング、照射位置等（言い換えれば、光ピックアップ１３の動作）を制御する。【００６４】
ステッピングコントローラ１７は、ステッピングモータ１５に印加するべき電圧を制御することで、ステッピングモータ１５によるスレッド１４の移動量を制御する。具体的には、ステッピングコントローラ１７は、システムコントローラ３１による制御の下に、ＯＰＵコントローラ１６やスピンドルコントローラ１８と協働しながら、スレッド１４の移動量（言い換えれば、ステッピングモータ１５の動作）を制御する。【００６５】
スピンドルコントローラ１８は、スピンドルモータ１１による光ディスク１００の回転を制御する。具体的には、スピンドルコントローラ１８は、システムコントローラ３１による制御の下に、ＯＰＵコントローラ１６やステッピングコントローラ１７と協働しながら、光ディスク１００の回転速度や回転角度等（言い換えれば、スピンドルモータ１１の動作）を制御する。【００６６】
システムコントローラ３１は、メモリ３２と共に、本発明における「特定手段」及び「制御手段」の一具体例を構成しており、表示部４１、入力部４２、ＯＰＵコントローラ１６、ステッピングコントローラ１７、スピンドルコントローラ１８及びメモリ３２と、データバス２１を介して接続され、ＯＰＵコントローラ１６、ステッピングコントローラ１７及びスピンドルコントローラ１８の夫々に対して制御コマンドを出力することで、情報記録再生装置１全体の制御を行う。また、システムコントローラ３１は、入力部４２からの入力情報に基づく動画像（特に、所望のパターン）を表示部４１に表示させると共に、その入力情報を適宜メモリ３２に格納する。通常、システムコントローラ３１が動作するためのソフトウェア又はファームウェアは、メモリ３２に格納されている。【００６７】
メモリ３２は、情報記録再生装置１が動作するためのプログラム（即ち、ファームウェア）が格納されるＲＯＭ領域と、情報記録再生装置１による動作中に用いられるデータが一時的に格納されるＲＡＭ領域などから構成される。【００６８】
尚、本実施例に係る記録再生装置の動作の対象となる光ディスク１００は、例えば、図１から図３に示すように、ＤＶＤと同じく円形状の形状を有しており、一方の側にデータ記録層１１０が積層されており、他方の側にレーベル層１２０が積層されている。データ記録層１１０に対しては、図１中の下側からレーザ光ＬＢが照射されることで、データの記録及び再生が行われる。他方で、レーベル層１２０に対しては、図１中の上側から（実際には、光ディスク１００を裏返して図１中の下側から）レーザ光ＬＢが照射されることで、レーベルの描画が行われる。【００６９】
光ディスク１００のデータ記録層１１０は、例えばレーザ光ＬＢの照射により特性（例えば、反射特性）が変わる色素膜や相変化膜により構成されている。データ記録層１１０には、センターホール１３０（図２参照）を中心として、リードインエリア、ユーザデータエリア及びリードアウトエリアが設けられている。そして、データ記録層１１０には、例えば、センターホール１３０を中心にスパイラル状或いは同心円状に、例えば、グルーブトラック及びランドトラック等のトラックが交互に設けられている。また、このトラック上には、データがＥＣＣブロックという単位で分割されて記録される。ＥＣＣブロックは、データをエラー訂正可能なデータ管理単位である。【００７０】
他方で、光ディスク１００のレーベル層１２０は、例えばレーザ光ＬＢの照射により特性（例えば、反射特性）が変わる色素膜により構成されている。レーベル層１２０には、上述したトラックが設けられていないが、トラックが設けられていてもよい。レーベル層１２０には特に、最内周側に特徴データ記録エリア１２１が設けられており、レーベル（つまり、本発明における「所望のパターン」の一具体例）の描画が実際に行われるレーベルエリア１２２が該特徴データ記録エリア１２１の外周側に設けられている。【００７１】
特徴データ記録エリア１２１には、図２の下側に示す特徴データ記録エリア１２１の拡大図に示すように、高い光反射率を有する矩形パターンとこの高い光反射率を有する矩形パターンと同一のサイズを有し且つ低い光反射率を有する矩形パターンとが規則的に配列されてなるパターン１２１１が形成されている。このパターン１２１１は、エンコーダ５１により読み取られる。このパターン１２１１により、情報記録再生装置１は、レーベルエリア１２２へのレーベル描画時に、光ディスク１００の速度（具体的には、角速度又は回転速度）に関する情報を取得することができる。これにより、情報記録再生装置１は、レーベルエリア１２２へのレーベル描画時における光ディスク１００の速度を調整又は認識することができる。【００７２】
また、特徴データ記録エリア１２１には、図２の下側に示す特徴データ記録エリア１２１の拡大図に示すように、高い光反射率を有する矩形パターンと低い反射率を有する矩形パターンとが不規則的に配列されてなるパターン１２１２が形成されている。特に、高い光反射率を有する矩形パターンと低い反射率を有する矩形パターンとの夫々は、夫々の矩形パターンが形成される位置に応じて様々なサイズを有している。このパターン１２１２により、情報記録再生装置１は、回転中の光ディスク１００の角度方向（即ち、光ディスク１００の中心からディスクの周囲の所定の点に向かって伸張する線がどの方向を指すか）に関する情報を取得することができる。これにより、情報記録再生装置１は、レーベルエリア１２２へのレーベル描画時における光ディスク１００の角度を調整又は認識することができる。【００７３】
また、特徴データ記録エリア１２１には、図２の下側に示す特徴データ記録エリア１２１の拡大図に示すように、高い光反射率を有する鋸歯パターンと、高い光反射率を有する鋸歯パターンとは逆向きに配置され且つ低い光反射率を有する矩形パターンとが規則的に配列されてなるパターン１２１３が形成されている。このパターン１２１３により、情報記録再生装置１は、光ディスク１００の半径方向における光ピックアップ１３の位置を高精度に調整することができる。言い換えれば、アクチュエータ１３１による光ピックアップ１３のトラッキング精度を調整することができる。【００７４】
より具体的には、パターン１２１３に照射されるレーザ光ＬＢの反射光のデューティー比により、光ピックアップユニット１２のトラッキング精度を調整することができる。アクチュエータ１３１に所定の電圧を印加したとき、デューティー比が５０％となる位置（つまり、パターン１２１３の半径方向における中心位置）からの光ピックアップ１３の移動量が、デューティー比に基づいて検出される。この動作を、アクチュエータ１３１に印加する電圧を変化させながら繰り返す。これにより、アクチュエータ１３１に印加する電圧と、光ピックアップ１３の移動量との相関関係を取得することができる。以後は、取得された相関関係を用いて、レーベルエリア１２２へのレーベル描画時に、光ピックアップ１３の位置が調整される。【００７５】
尚、相対的に内周側に形成されるパターン１２１１をインナーリングと称し、該インナーリングは、例えば、光ディスク１００上での半径位置が１９．００ｍｍから２１．１５ｍｍの間のエリアに形成されている。他方、相対的に外周側に形成されるパターン１２１２及び１２１３をアウターリングと称し、該アウターリングは、例えば、光ディスク１００上での半径位置が２１．１５ｍｍから２１．８０ｍｍの間のエリアに形成されている。そして、特徴データ記録エリア１２１に形成される各パターンは、レーベルエリア１２２にレーベルを描画している間に情報記録再生装置１により読み取られるように構成してもよいし、レーベルエリア１２２にレーベルを描画する前に読み取られるように構成してもよい。またこれらの各パターンは、シルクスクリーン印刷法により形成されてもよいし、或いは他の方法で形成されてもよい。【００７６】
レーベルエリア１２２には、図２の上側に示すように、ユーザの所望のレーベル（例えば、文字や図形や画像等）を描画することができる。この所望のレーベルは、レーザ光ＬＢが照射される微小領域における光の反射率と、レーザ光ＬＢが照射されない微小領域における光の反射率との差を利用して、いわゆるモノクロパターンとして描画される。【００７７】
レーベルエリア１２２に描画されるレーベルは、図２の上側に示すように、複数トラック（トラック１４１、１４２、１４３・・・）によって構成されている。言い換えれば、リング状のトラックを、例えば内側からトラック１４１、１４２、１４３・・・の順に複数描画することによって、結果的にレーベル全体が描画される。各トラックは、大まかには以下のように描画される。すなわち、先ず30umを1トラックとした場合、アクチュエータ１３１でレンズ位置を内周150umに送り、そこから30umずつ移動させ、300um移動して外周150um位置にレンズが移動したら、続いて、スレッド１４を300um移動させ、再びアクチュエータ１３１でレンズ位置を内周150umに送り、再び描画を行う。【００７８】
このようにしてスレッド１４及びアクチュエータ１３１を半径方向に移動させる事により、擬似的にトラック１４１、１４２、１４３・・・があるように描画を行うため、半径位置の精度はスレッド１４及びアクチュエータ１３１の送り精度及び印加電流に対する駆動量の感度によって決定される。ここで一般に、アクチュエータ１３１の温度変化により感度変化が生じるので、結果的に想定される駆動量も大きく変化する。つまり、図３（ａ）に示すような光ディスク１００の面振れ量、或いは図３（ｂ）に示す光ディスク１００の反り量が比較的大きいために、それを補正するためのフォーカス駆動量も大きくなり、アクチュエータ１３１の温度変化が著しい状況では、目に見えて描画品質が低下するおそれがある。そのため、描画品質を向上させるには、アクチュエータ１３１の温度上昇そのものを防ぐ事が効果的と言える。【００７９】
従って、第１実施例では、アクチュエータ１３１の温度上昇を防ぐため、レーベル描画時のステッピングモータ１５の回転数を相対的に上げることとする。この様子（作用効果）を、図４及び図５を参照して、比較例と第１実施例とを対比しながら説明を加える。ここに、図４は、比較例に係る情報記録再生装置によるレーベル描画中のフォーカス駆動量及びアクチュエータ（雰囲気）の温度変化の経時変化を示す特性図である。図５は、第1実施例に係る情報記録再生装置によるレーベル描画中のフォーカス駆動量及びアクチュエータの温度変化の経時変化を示す特性図である。【００８０】
比較例では、図４の上側に示すようにアクチュエータ１３１によるフォーカス駆動量が比較的大きいので、それに伴うアクチュエータ１３１の温度変化も図４の下側に示すように比較的大きい。特に、光ディスク１００を低回転速度で回転させてレーベルを描画する場合、光ディスク１００の面振れに追従しながら描画を行う際にフォーカス方向のアクチュエータ１３１移動がかなり低周波数となるため、図３（ａ）に示すような光ディスク１００の面振れ量、或いは図３（ｂ）に示す光ディスク１００の反り量が大きい場合は長時間大電流をアクチュエータ１３１に流す事になるため、アクチュエータ１３１は一気に発熱してしまう。ここで、アクチュエータ１３１の感度は温度によってかなり変化する為、発熱している時としていない時で実際に駆動される量が大きく異なってしまい、目標に対してフォーカスやトラッキング位置のずれが発生する。光ピックアップユニット１２等に内蔵されている温度センサーで温度上昇を測定して補正する事なども考えられるが、温度特性をあらかじめ知っておく必要があり、アクチュエータ１３１の温度上昇は急峻なので測定しても、実態が反映されない。【００８１】
これに対して、図５の上側に示すように第１実施例では、比較例に比べて、光ディスク１００の回転速度が上げられている（例えば１．５倍、２倍・・・等）。光ディスク１００の回転速度が上げられると、回転の周期が縮まり、大電流を１周期あたりに継続して流している時間が短くなるので、アクチュエータ１３１の最大温度が低くなる。加えて、回転速度が上がれば面振れや反りが抑制され、必要とされるフォーカス駆動量も相対的に減少するので、アクチュエータ１３１の最大温度が低くなる。【００８２】
なお、回転速度を上げたまま、何ら対策を施さなければ、レーベルエリア１２２へのレーベル描画時に、単位時間あたりに単位面積に照射されるレーザ光ＬＢの光量が低下することになるので、コントラストが低下してしまうおそれがある。そこで、本実施例では、回転速度を上げる分、他のパラメータ（レーザ光ＬＢのレーザーパワー、描画スポットサイズを変えるフォーカスオフセット量、回転速度、トラックピッチ、重ね書き回数等。以下これら描画に関するパラメータを総称して、「描画パラメータ」とも言う。）を変更する事により、得られるコントラストが変わらないように対策を施すこととする。【００８３】
（１−２）動作原理
続いて、図６から図９を参照して、本実施例に係る情報記録再生装置１による動作（特に、レーベル層１２０への描画動作）について説明する。【００８４】
先ず、図１から図５に加え、図６を参照してレーベル描画の具体的な動作処理について説明する。ここに、図６は、第1実施例に係る描画処理の流れを概念的に示すフローチャートである。【００８５】
図６において、初めに、システムコントローラ３１の制御の下に、情報記録再生装置１にローディングされた光ディスクが、情報記録再生装置１によりレーベル描画可能な光ディスク１００であるか否か（つまり、上述した本実施例に係る光ディスク１００であるか否か）が判定される（ステップＳ５０１）。【００８６】
ステップＳ５０１における判定の結果、情報記録再生装置１にローディングされた光ディスクが、情報記録再生装置１によりレーベル描画可能な光ディスク１００でないと判定された場合には（ステップＳ５０１：Ｎｏ）、以下に説明するステップＳ５０２からステップＳ５０７に係る動作は行われず、ローディングされた光ディスクに応じた動作が行われる（ステップＳ１０８）。【００８７】
他方、ステップＳ５０１における判定の結果、情報記録再生装置１にローディングされた光ディスクが、情報記録再生装置１によりレーベル描画可能な光ディスク１００であると判定された場合には（ステップＳ５０１：Ｙｅｓ）、続いて、スピンドルコントローラ１８の制御の下に、スピンドルモータ１１がロックされる（ステップＳ５０２）。具体的には、上述したパターン１２１１を含むインナーリングが読み取られ、該読取結果に応じて、スピンドルモータ１１の回転速度（言い換えれば、光ディスク１００の回転速度）が調整される。以降は、スピンドルモータ１１の回転速度は、一定に維持される。【００８８】
続いて、上述したパターン１２１２及び１２１３を含むアウターリングがサーチされた後（ステップＳ５０３）、フォーカスサーボがＯＮとなる（ステップＳ５０４）。【００８９】
その後、ステップＳ５０３においてサーチされたアウターリングを用いて、トラッキング精度の調整が行われる（ステップＳ５０５）。【００９０】
その後、レーベルエリア１２２に対する所望のレーベルの描画を開始する位置であるトラック０がサーチされる（ステップＳ５０６）。レーベル層１２０には物理的なトラックが存在していないため、このトラック０は仮想的なトラックであるが、例えば、光ディスク１００上での半径位置が２３．８０±０．０３ｍｍの位置に存在する。【００９１】
その後、以下に詳述するトラック描画処理によって、レーベルエリア１２２に対する所望のレーベルの描画が行われる（ステップＳ５０７）。【００９２】
ここで、上述のトラック描画処理について、図７に沿って図３から図４を適宜参照して説明を加える。ここに、図７は、第１実施例に係るトラック描画処理の流れを概念的に示すフローチャートである。【００９３】
図７において、先ず、光ピックアップ１３の受光素子によって受光されるレーザ光ＬＢの反射光に基づいて、システムコントローラ３１或いはＯＰＵコントローラ１６が、本発明における「記録媒体の挙動」の一具体例として、光ディスク１００の面振れ量（又は反り量）を検出する（ステップＳ１０）。そして、検出される面振れ量（又は反り量）が、本発明における「所定第１閾値」（又は所定第２閾値）の一具体例である所定閾値（ここでいう「所定閾値」とは、比較例のような通常の回転速度でレーベル描画を行ったとしても実践上耐えうるような描画品質を与える面振れ量（又は反り量）の上限値）よりも大きいか否かが判定される（ステップＳ２０）。【００９４】
ここで、検出される面振れ量（又は反り量）が、所定閾値よりも大きくないと判定される場合（ステップＳ２０：NO）、通常の回転速度でレーベル描画を行ったとしても、検出される面振れ量（又は反り量）が実践上耐えうるような描画品質を与えると想定される。そこで、描画パラメータが、通常描画パラメータ値に設定される（ステップＳ３１）。具体的には、回転速度をはじめとする各種画パラメータが比較例と同様の値に設定される。そして、このような描画パラメータに基づいて通常描画が行われる（ステップＳ４１）。この際、面振れ量（又は反り量）が、上述のような範囲に収まっているので、特に描画品質上問題ない。【００９５】
他方で、検出される面振れ量（又は反り量）が、所定閾値よりも大きいと判定される場合（ステップＳ２０：YES）、仮に通常の回転速度でレーベル描画を行うと、面振れ量（又は反り量）が大きすぎるために、それを補正するために要するフォーカス駆動量が増大し、アクチュエータ１３１の温度変化が増大し、アクチュエータ１３１の感度が悪化し、結果的に実践上耐えうるような描画品質が得られないと想定される。そこで、本発明における「回転速度を基準となる回転速度から所定割合上昇させた状態」の一具体例の状態をつくるべく、回転速度をはじめとする各種画パラメータが、高速回転描画パラメータ値に設定される（ステップＳ３０）。この設定の様子を以下に例示する。【００９６】
第１例として、回転速度を増加させ、単位時間当たり単位面積に照射されるレーザ光ＬＢの照射パワーが低下してしまう分、重ね描き回数も増加させるように各種画パラメータを設定する。仮に、単位時間当たり単位面積に照射されるレーザ光ＬＢの照射パワーとコントラストとの比がリニアな特性の場合、回転速度を２倍にしたために照射時間が半減しても、同じトラックを2回重ね書きする事でコントラストを確保出来る。なお、コントラストの比がリニアな特性でない場合には、実験的に或いはシミュレーションによって、回転速度と重ね描き回数との関係を予めマップとして記憶しておき、このマップから回転速度に対応する重ね描き回数を求めて設定してもよい。【００９７】
第２例として、回転速度を増加させ、単位時間当たり単位面積に照射されるレーザ光ＬＢの照射パワーが低下してしまう分、スポット径を相対的に小さくすると共にトラックピッチを相対的に狭めるように各種画パラメータを設定する。仮に、単位時間当たり単位面積に照射されるレーザ光ＬＢの照射パワーとコントラストとの関係がリニアになっていない場合や、レーベル層１２０を焼けない程に照射パワーが低いためにコントラストが低下してしまうような特性の場合に有効である。なお、スポット径が小さくなる分、フォーカスオフセット量を変更して（つまり、デフォーカスして）、トラックピッチを狭くする事でコントラストを確保するとよい。【００９８】
第３例として、回転速度を増加させ、単位時間当たり単位面積に照射されるレーザ光ＬＢの照射パワーが低下してコントラストが低下してしまう分、トラックピッチを相対的に狭めるように各種画パラメータを設定する。レーベル層１２０を十分に焼ける程の照射パワーが確保できる場合には、これで足りる。【００９９】
第４例として、回転速度を増加させ、単位時間当たり単位面積に照射されるレーザ光ＬＢの照射パワーが低下してしまう分、レーザ光ＬＢの照射パワーを上げるように各種画パラメータを設定する。レーザ光ＬＢの照射パワーを上げる余地があれば、デフォーカスするまでもなく、照射パワーの低下を補える。【０１００】
そして、高速回転での描画が行われる（ステップＳ４０）。従って、上述したように、アクチュエータ１３１の最大温度が低減される。従って、アクチュエータ１３１の温度変化による感度変化、或いは想定される駆動量の変化が抑制されるので、想定通りに描画できることになり、描画品質が向上する。加えて、描画パラメータが上記のように設定されているので、高速回転の弊害であるコントラスト低下も回避される。【０１０１】
以上みてきたように、第１実施例に係る情報記録再生装置１の高速回転描画によると、通常描画に比べて描画品質が向上され、実践上非常に有効である。【０１０２】
（２）  第２実施例
続いて、第２実施例として、図７に示すトラック描画処理の他の態様について、図８に沿って説明を加える。ここに、図８は、第２実施例に係るトラック描画処理の流れを概念的に示すフローチャートである。なお、図８において、図７に示す処理と同様の処理については同一のステップ番号を符し、詳細な説明は適宜省略する。【０１０３】
図８において、先ず、光ディスク１００に記録されている固有のＭｅｄｉａＩＤが、本発明における「記録媒体の識別情報」の一具体例として、光ピックアップ１３によって読み込まれる（ステップＳ８）。このＭｅｄｉａＩＤに基づいて特定される特性が高速回転描画に適合するか否かが、システムコントローラ３１によって判定される（ステップＳ９）。ここで、「特性が高速回転描画に適合する」とは、高速回転で描画を行っても描画品質が低下し難い特性であることを意味し、例えば照射回数に対するコントラストのリニアリティが高いことを意味する。【０１０４】
このＭｅｄｉａＩＤに基づく特性が高速回転描画に適合すると判定される場合（ステップＳ９：ＹＥＳ）、例えば単位時間当たり単位面積に照射されるレーザ光ＬＢの照射パワーとコントラストとの比がリニアな特性である場合には、図７と同様に、回転速度をはじめとする各種画パラメータが、高速回転描画パラメータ値に設定され（ステップＳ３０）、高速回転での描画が行われる（ステップＳ４０）。このようにリニアリティを有していれば、高速回転で描画を行っても、通常回転時のコントラストを比較的容易に確保出来るから、すなわち描画品質が低下し難いからである。【０１０５】
他方で、このＭｅｄｉａＩＤに基づく特性が高速回転描画に適合しないと判定される場合（ステップＳ９：ＮＯ）、図７で説明したように、その他の要因（具体的には、光ディスク１００の面振れ量（又は反り量））も考量した上で、高速回転描画を行うか否かが判定され、その判定結果に応じて、高速回転描画（ステップＳ４０）又は通常描画（ステップＳ４１）が行われる。【０１０６】
以上みてきたように、第２実施例に係る情報記録再生装置１の高速回転描画によると、光ディスク１００固有の特性に合わせて描画品質を向上でき、実践上非常に有効である。【０１０７】
（３）  第３実施例
続いて、第３実施例として、図７に示すトラック描画処理の他の態様について、図９に沿って説明を加える。ここに、図９は、第３実施例に係るトラック描画処理の流れを概念的に示すフローチャートである。なお、図９において、図７に示す処理と同様の処理については同一のステップ番号を符し、詳細な説明は適宜省略する。【０１０８】
図９において、先ず、図７で説明したように、光ピックアップ１３の受光素子によって受光されるレーザ光ＬＢの反射光に基づいて、システムコントローラ３１或いはＯＰＵコントローラ１６が、光ディスク１００の面振れ量（又は反り量）を検出する（ステップＳ１０）。そして、検出される面振れ量（又は反り量）が、よりも大きいか否かが判定される（ステップＳ２０）。【０１０９】
ここで、検出される面振れ量（又は反り量）が、所定閾値よりも大きくないと判定される場合（ステップＳ２０：NO）、描画パラメータが、通常描画パラメータ値に設定され（ステップＳ３１）。通常描画が行われる（ステップＳ４１）。この際、面振れ量（又は反り量）が、上述のような範囲に収まっているので、特に描画品質上問題ない。【０１１０】
他方で、本実施例においては特に、検出される面振れ量（又は反り量）が、所定閾値よりも大きいと判定される場合（ステップＳ２０：YES）、その旨が、表示部４１に表示され、ユーザに対して警告が行われる（ステップＳ２１）。警告を受けたユーザは、本発明における「回転速度を所定割合上昇させるか否かについてのユーザの決定」の一具体例として、描画品質を重視するか否かを、入力部４２を介して入力する（ステップＳ２２）。そして、描画品質を重視する旨が入力される場合（ステップＳ２２：ＹＥＳ）、図７と同様に、回転速度をはじめとする各種画パラメータが、高速回転描画パラメータ値に設定され（ステップＳ３０）、高速回転での描画が行われる（ステップＳ４０）。他方で、警告にも拘わらず描画品質を重視する旨が入力されない場合（ステップＳ２２：ＮＯ）、多少の描画品質低下は許容されるということであるので、高速回転描画ではなく、通常描画が行われる（ステップＳ３１）（ステップＳ４１）。【０１１１】
以上みてきたように、第３実施例に係る情報記録再生装置１の高速回転描画によると、ユーザの選択に合わせて適宜描画品質を向上でき、実践上非常に有効である。【０１１２】
また、上述の実施例では、ライトスクライブ技術を想定して説明したが、レーベルの描画をするための他の技術（例えば、レーベルフラッシュ、ＤｉｓｃＴ＠２）等の各種用途において、上述した構成を採用することで、上述した効果を享受することができることは言うまでもない。【０１１３】
本発明は、上述した実施例に限られるものではなく、請求の範囲及び明細書全体から読み取れる発明の要旨或いは思想に反しない範囲で適宜変更可能であり、そのような変更を伴なう描画装置及び方法、並びにコンピュータプログラムもまた本発明の技術的範囲に含まれるものである。
【産業上の利用可能性】
【０１１４】
本発明に係る描画装置及び方法、並びにコンピュータプログラムは、例えばＤＶＤ等の記録媒体のレーベル面に対して文字や図形や画像等のパターンを描画可能なＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2008096435.tif 000003
【図２】
2008096435.tif 000004
【図３】
2008096435.tif 000005
【図４】
2008096435.tif 000006
【図５】
2008096435.tif 000007
【図６】
2008096435.tif 000008
【図７】
2008096435.tif 000009
【図８】
2008096435.tif 000010
【図９】
2008096435.tif 000011
【国際調査報告】
2008096435.tif 000012
2008096435.tif 000013
2008096435.tif 000014
2008096435.tif 000015